(57)【要約】【課題】無線通信機（携帯電話）による電波の送受信時に音響機器の音量をミュート機能により停止することができる音響制御装置を提供する。【解決手段】無線通信機（ラジオ１００）による電波の送受信時に、ノイズを検出するノイズ検出部３４０と、ミュート機能を制御するミュート回路制御部３７０とを備え、ノイズ検出部３４０によりノイズを検出し、このノイズの検出時に、ミュート回路制御部３７０によりラジオ１００のミュート回路部１５０を作動させ、ラジオ１００の音量を停止（ＯＦＦ）させる。【選択図】      図１
2006186587.tif 000002
【特許請求の範囲】
【請求項１】
無線通信機による電波の送受信時に、音響機器の音量を低減させる音量低減機能を備えた音響制御装置であって、
前記無線通信機による電波の送受信時に発生するノイズパターンを検出するノイズ検出手段と、
前記ノイズ検出手段により所定のノイズパターンが検出された際に、前記音量低減機能を作動させる音量低減作動制御手段と、
を備えることを特徴とする音響制御装置。
【請求項２】
前記ノイズ検出手段により検出されるノイズのレベル値を判定するノイズレベル判定手段を備え、当該ノイズレベル判定手段によりノイズレベルの低下が判定された際には、前記音量低減作動制御手段による音量低減機能の作動を停止することを特徴とする請求項１に記載の音響制御装置。
【請求項３】
前記音響機器は、手動操作により音量低減機能を作動させる音量低減設定手段を備え、当該音量低減設定手段による音量低減機能の設定時には、前記ノイズ検出手段により所定のノイズパターンが検出された際にも、前記音量低減作動制御手段による音量低減機能の停止制御はおこなわないことを特徴とする請求項１に記載の音響制御装置。
【請求項４】
前記音響機器は、手動操作により音量低減機能を作動させる音量低減設定手段を備え、当該音量低減設定手段による音量低減機能の設定時には、前記ノイズレベル判定手段によりノイズレベルの低下が判定された際にも、前記音量低減作動制御手段による音量低減機能の停止制御はおこなわないことを特徴とする請求項２に記載の音響制御装置。
【請求項５】
無線通信機による電波の送受信時のノイズパターンを記憶するノイズ記憶手段と、前記ノイズ検出手段により検出されたノイズパターンと、前記ノイズ記憶手段に記憶されたノイズパターンとの照合により、両者のノイズパターンを比較判定するノイズパターン判定手段を備えることを特徴とする請求項１〜４のいずれか一つに記載の音響制御装置。
【請求項６】
特定の無線通信機による電波の送受信時のノイズパターンを記憶する特定ノイズパターン記憶手段を備えるとともに、前記ノイズパターン判定手段は、前記ノイズ検出手段により検出されたノイズパターンと、前記特定ノイズパターン記憶手段に記憶された特定のノイズパターンとの照合により、両者のノイズパターンを比較判定する機能を備えることを特徴とする請求項５に記載の音響制御装置。
【請求項７】
無線通信機による電波の送受信時に、音響機器の音量を低減させる音量低減機能を備えた音響制御方法であって、
前記無線通信機による電波の送受信時に発生するノイズパターンを検出するノイズパターン検出工程と、
前記ノイズパターン検出工程により所定のノイズパターンが検出された際に、前記音量低減機能を作動させる音量低減作動制御工程と、
を備えることを特徴とする音響制御方法。
【請求項８】
前記ノイズパターン検出工程により検出されるノイズのレベル値を判定するノイズレベル判定工程を備え、当該ノイズレベル判定工程によりノイズレベルの低下が判定された際には、前記音量低減作動制御工程による音量低減機能の作動を停止することを特徴とする請求項７に記載の音響制御方法。
【請求項９】
無線通信機による電波の送受信時に、音響機器の音量を低減させる音量低減機能を備えた音響制御方法であって、
前記無線通信機による電波の送受信時に発生するノイズを検出するノイズ検出工程と、
前記ノイズ検出工程により所定のノイズが検出された際に、前記音量低減機能を作動させる音量低減作動制御工程と、
を備えることを特徴とする音響制御方法。
【発明の詳細な説明】
【技術分野】
【０００１】
本発明は、無線通信機（例えば、携帯電話）による電波の送受信時に音響機器の音量を停止（ＯＦＦ）或いは、減衰させることができる音響制御装置および音響制御方法に関するものである。
【背景技術】
【０００２】
従来から、自動車には車載用のラジオ受信機（ＡＭ／ＦＭラジオ）やＣＤプレーヤなど車載用の音響機器（オーディオ機器）が搭載されており、このような音響機器により走行中にニュースや音楽を聴くことが多い。ところで、例えば、車内のラジオで音楽を聴いている際に、運転者などの乗員が持っている携帯電話（無線通信機）に外部から電話がかかってきた場合、ラジオの音で携帯電話の着信音に気付かないことがあったり、この携帯電話から外部に電話をかける際には、通話に支障を及ぼすため、その都度、ラジオの音量を調節（ボリュームを下げる）するなどの操作をおこなう必要があった。
【０００３】
このため、従来では、無線通信機（携帯電話）による電波の送受信時に、自動的に音響機器（ラジオ）の音量を停止（ＯＦＦ）させる所謂、ミュート機能を備えた音響制御装置が知られている。
【０００４】
この種のミュート機能を利用した音響制御装置に関する従来技術として、例えば特許文献１には、無線通信機（携帯電話）による送受信時の電波（送受信信号）を車載用の音響機器に内蔵された受信部のアンテナで直接受信し、この送受信信号を検出した際に、オーディオ回路部にミュート機能を作動させることにより、無線通信機の送受信時には、音響機器の音量を停止（ＯＦＦ）させる車載用の音響装置が開示されている。
【０００５】
【特許文献１】特開平９−２１４３７１号公報
【発明の開示】
【発明が解決しようとする課題】
【０００６】
しかしながら、上述した従来技術の場合、以下のような問題がある。すなわち、上述した従来技術として開示されている音響制御装置の場合には、無線通信機による電波の送受信時に、この受信した送受信信号に基づいて、音響機器の音量をＯＦＦ（ミュート）させることができるが、この音響制御装置の場合、無線通信機から送信される送受信信号を受信するためのアンテナやチューナが新たに必要となるため、これによって、設備投資などの部品コストが嵩むという問題がある。
【０００７】
そこで、この発明は、上述した従来技術による問題点を解消するためになされたものであり、無線通信機による電波の送受信時に確実且つ、適切にミュート機能を作動できるうえ、新たな設備投資などの部品コストが嵩むことなく安価な構成とすることができる音響制御装置および音響制御方法を提供することを目的とする。
【課題を解決するための手段】
【０００８】
上述した課題を解決し、目的を達成するために、請求項１に係る発明は、無線通信機による電波の送受信時に、音響機器の音量を低減させる音量低減機能を備えた音響制御装置であって、前記無線通信機による電波の送受信時に発生するノイズパターンを検出するノイズ検出手段と、前記ノイズ検出手段により所定のノイズパターンが検出された際に、前記音量低減機能を作動させる音量低減作動制御手段と、を備えることを特徴とする。
【０００９】
この請求項１に記載の発明によれば、音響制御装置は、ノイズ検出手段により、無線通信機による電波の送受信時に発生するノイズパターンを検出し、このノイズ検出手段により所定のノイズパターンが検出された際に、音量低減作動制御手段により音量低減機能を作動させ、音響機器の音量を停止する制御をおこなう。
【００１０】
また、請求項２に係る発明は、請求項１に記載の発明において、前記ノイズ検出手段により検出されるノイズのレベル値を判定するノイズレベル判定手段を備え、当該ノイズレベル判定手段によりノイズレベルの低下が判定された際には、前記音量低減作動制御手段による音量低減機能の作動を停止することを特徴とする。
【００１１】
この請求項２に記載の発明によれば、ノイズレベル判定手段により、ノイズ検出手段により検出されるノイズのレベル値を判定し、ノイズレベル判定手段によりノイズレベルの低下が判定された際には、音量低減作動制御手段による音量低減機能の作動を停止する制御をおこなう。
【００１２】
また、請求項３に係る発明は、請求項１に記載の発明において、前記音響機器は、手動操作により音量低減機能を作動させる音量低減設定手段を備え、当該音量低減設定手段による音量低減機能の設定時には、前記ノイズ検出手段により所定のノイズパターンが検出された際にも、前記音量低減作動制御手段による音量低減機能の停止制御はおこなわないことを特徴とする。
【００１３】
この請求項３に記載の発明によれば、音響機器は、手動操作により音量低減機能を作動させる音量低減設定手段を備えており、音量低減設定手段による音量低減モード（機能）の設定時には、ノイズ検出手段により所定のノイズパターンが検出された際にも、音量低減作動制御手段による音量低減機能の停止制御を中止する。
【００１４】
また、請求項４に係る発明は、請求項２に記載の発明において、前記音響機器は、手動操作により音量低減機能を作動させる音量低減設定手段を備え、当該音量低減設定手段による音量低減機能の設定時には、前記ノイズレベル判定手段によりノイズレベルの低下が判定された際にも、前記音量低減作動制御手段による音量低減機能の停止制御はおこなわないことを特徴とする。
【００１５】
この請求項４に記載の発明によれば、請求項２に記載の発明において、音響機器は、手動操作により音量低減機能を作動させる音量低減設定手段を備えており、音量低減設定手段による音量低減機能の設定時には、ノイズレベル判定手段によりノイズレベルの低下が判定された際にも、前記音量低減作動制御手段による音量低減機能の停止制御はおこなわない制御としている。
【００１６】
また、請求項５に係る発明は、請求項１〜４のいずれか一つに記載の発明において、無線通信機による電波の送受信時のノイズパターンを記憶するノイズ記憶手段と、前記ノイズ検出手段により検出されたノイズパターンと、前記ノイズ記憶手段に記憶されたノイズパターンとの照合により、両者のノイズパターンを比較判定するノイズパターン判定手段を備えることを特徴とする。
【００１７】
この請求項５に記載の発明によれば、ノイズ記憶手段により、無線通信機による電波の送受信時のノイズパターンをノイズ記憶手段に記憶するとともに、ノイズパターン判定手段により、ノイズ検出手段により検出されたノイズパターンと、ノイズ記憶手段に記憶されたノイズパターンとの照合により、両者のノイズパターンの比較判定をおこなう。
【００１８】
また、請求項６に係る発明は、請求項５に記載の発明において、特定の無線通信機による電波の送受信時のノイズパターンを記憶する特定ノイズパターン記憶手段を備えるとともに、前記ノイズパターン判定手段は、前記ノイズ検出手段により検出されたノイズパターンと、前記特定ノイズパターン記憶手段に記憶された特定のノイズパターンとの照合により、両者のノイズパターンを比較判定する機能を備えることを特徴とする。
【００１９】
この請求項６に記載の発明によれば、ノイズ記憶手段により、特定の無線通信機による電波の送受信時の特定のノイズパターンをノイズ記憶手段に記憶するとともに、ノイズパターン判定手段により、ノイズ検出手段により検出されたノイズパターンと、特定ノイズパターン記憶手段に記憶された特定ノイズパターンとの照合により、両者のノイズパターンの比較判定をおこなう。
【００２０】
また、請求項７に係る発明は、無線通信機による電波の送受信時に、音響機器の音量を低減させる音量低減機能を備えた音響制御方法であって、前記無線通信機による電波の送受信時に発生するノイズパターンを検出するノイズパターン検出工程と、前記ノイズパターン検出工程により所定のノイズ波形が検出された際に、前記音量低減機能を作動させる音量低減作動制御工程と、を備えることを特徴とする。
【００２１】
この請求項７に記載の発明によれば、ノイズパターン検出工程により、無線通信機による電波の送受信時に発生するノイズパターンを検出し、このノイズパターン検出工程により所定のノイズパターンが検出された際に、音量低減作動制御工程により音量低減機能を作動させ、音響機器の音量を停止する制御をおこなう。
【００２２】
また、請求項８に係る発明は、請求項７に記載の発明において、前記ノイズパターン検出工程により検出されるノイズのレベル値を判定するノイズレベル判定工程を備え、当該ノイズレベル判定工程によりノイズレベルの低下が判定された際には、前記音量低減作動制御工程による音量低減機能の作動を停止することを特徴とする。
【００２３】
この請求項８に記載の発明によれば、ノイズレベル判定工程により、ノイズ検出工程により検出されるノイズのレベル値を判定し、この判定によりノイズレベルの低下が判定された際には、音量低減作動制御工程による音量低減機能の作動を停止する。
【００２４】
また、請求項９に係る発明は、無線通信機による電波の送受信時に、音響機器の音量を低減させる音量低減機能を備えた音響制御方法であって、前記無線通信機による電波の送受信時に発生するノイズを検出するノイズ検出工程と、前記ノイズ検出工程によりノイズが検出された際に、前記音量低減機能を作動させる音量低減作動制御工程とを備えることを特徴とする。
【００２５】
この請求項９に記載の発明によれば、ノイズ検出工程により、無線通信機による電波の送受信時に発生するノイズを検出し、このノイズ検出工程によりノイズが検出された際に、音量低減作動制御工程により、音量低減機能を作動させる。
【発明の効果】
【００２６】
請求項１に記載の発明によれば、音響制御装置は、ノイズ検出手段により、無線通信機による電波の送受信時に発生するノイズパターンを検出し、このノイズ検出手段により所定のノイズパターンが検出された際に、音量低減作動制御手段により音量低減機能を作動させ、音響機器の音量を低減する制御をおこなうので、無線通信機による受信を容易且つ的確に認識でき適正な音量低減制御をおこなうことができるうえ、音響機器の再生時にも、無線通信機による通話（送信時の通話）に支障を及ぼすことがなくなるという効果を奏する。また、音響機器の音量低減設定スイッチの操作をおこなう手間が不要となるうえ、チューナやアンプなどの設備投資による部品コストが嵩むことない音響制御装置を実現できるという効果を奏する。
【００２７】
また、請求項２に記載の発明によれば、ノイズレベル判定手段により、ノイズ検出手段により検出されるノイズのレベル値を判定し、この判定によりノイズレベルの低下が判定された際には、音量低減作動制御手段による音量低減機能の作動を停止するので、ノイズレベル判定手段によるノイズレベルの低下に基づいて、無線通信機（携帯電話）での通話が終了したことを判定し、これによって、自動的に音量低減機能の作動を停止（ＯＦＦ）することができるという効果を奏する。
【００２８】
また、請求項３に記載の発明によれば、音響機器は、手動操作により音量低減機能を作動させる音量低減設定手段を備えており、音量低減設定手段による音量低減モード（機能）の設定時において、ノイズ検出手段により所定のノイズパターンが検出された際にも、音量低減作動制御手段による音量低減機能の停止制御は中止するので、音響機器に備えた音量低減設定スイッチが手動操作により設定（ＯＮ）されている場合には、ノイズレベル判定手段により携帯電話での通話が終了したことが判定された際でも、そのまま継続して、音量低減機能を保持（音量レベルを上げない）することができるという効果を奏する。
【００２９】
また、請求項４に記載の発明によれば、音響機器は、手動操作により音量低減機能を作動させる音量低減設定手段を備えており、音量低減設定手段による音量低減モード（機能）の設定時において、ノイズレベル判定手段によりノイズレベルの低下が判定された際には、音量低減作動制御手段による音量低減機能の停止制御を中止するので、音響機器に備えた音量低減設定スイッチが手動操作により設定（ＯＮ）されている場合には、ノイズレベル判定手段により携帯電話での通話が終了したことが判定された際でも、そのまま継続して、音量低減機能を保持（音量レベルを上げない）することができるという効果を奏する。
【００３０】
また、請求項５に記載の発明によれば、ノイズ記憶手段により、無線通信機による電波の送受信時のノイズパターンをノイズ記憶手段に記憶するとともに、ノイズパターン判定手段により、ノイズ検出手段により検出されたノイズパターンと、ノイズ記憶手段に記憶されたノイズパターンとの照合により、両者のノイズパターンを比較判定するので、ノイズ検出手段により検出されたノイズが携帯電話による発着信に基づくノイズであるかを正確に判定できるとともに、この携帯電話によるノイズを対象として、音響機器に対して音量低減機能を作動させることができるという効果を奏する。
【００３１】
また、請求項６に係る発明によれば、特定ノイズパターン記憶手段により、特定の無線通信機による電波の送受信時の特定のノイズパターンをノイズ記憶手段に記憶するとともに、ノイズパターン判定手段により、ノイズ検出手段により検出されたノイズパターンと、特定ノイズパターン記憶手段に記憶された特定ノイズパターンとの照合により、両者のノイズパターンの比較判定をおこなうので、ノイズ検出手段により検出されたノイズが携帯電話による発着信に基づくノイズであるかを精度良く正確に判定できるとともに、ユーザが所有する特定の携帯電話によるノイズを対象として、音響機器に対して音量低減機能を作動させることができるという効果を奏する。
【００３２】
また、請求項７に係る発明によれば、ノイズパターン検出工程により、無線通信機による電波の送受信時に発生するノイズパターンを検出し、このノイズパターン検出工程により所定のノイズパターンが検出された際に、音量低減作動制御工程により音量低減機能を作動させ、音響機器の音量を低減する制御をおこなうので、請求項１に記載の発明と同様に、無線通信機による受信を容易且つ的確に認識できるうえ、この無線通信機による通話（送信時の通話）に支障を及ぼすことがなくなるという効果を奏する。また、音響機器の音量低減設定スイッチの操作をおこなう手間が不要となるうえ、チューナやアンプなどの設備投資による部品コストが嵩むことなく、適正な音量低減制御をおこなうことができるという効果を奏する。
【００３３】
また、請求項８に係る発明によれば、ノイズレベル判定工程により、ノイズ検出工程により検出されるノイズのレベル値を判定し、この判定によりノイズレベルの低下が判定された際には、音量低減作動制御工程による音量低減機能の作動を停止するので、請求項７に記載の発明と同様に、ノイズレベル判定手段によるノイズレベルの低下に基づいて、無線通信機（携帯電話）での通話が終了したことを判定し、これによって、自動的に音量低減機能の作動を停止（ＯＦＦ）することができるという効果を奏する。
【００３４】
この請求項９に係る発明によれば、ノイズ検出工程により、無線通信機による電波の送受信時に発生するノイズを検出し、このノイズ検出工程によりノイズが検出された際に、音量低減作動制御工程により、音量低減機能を作動させるので、ノイズ検出手段によるノイズの検出に基づいて、音量低減作動制御工程により、自動的に音量低減機能の作動を停止（ＯＦＦ）することができるという効果を奏する。
【発明を実施するための最良の形態】
【００３５】
以下に添付図面を参照して、この発明に係る音響制御装置および音響制御方法の好適な実施例を詳細に説明する。図１は、本実施例１に係る音響制御装置の概略構成を示す全体機能ブロック図である。なお、以下では、本実施例１に係る音響制御装置の概略構成および特徴を説明した後に、この音響制御装置における音響制御方法による処理手順を説明することとする。なお、以下に示す実施例１、２によりこの発明が限定されるものではない。
【実施例１】
【００３６】
（音響制御装置２００の構成および機能の詳細）
図１は、ＡＭ／ＦＭ式のラジオ１００に搭載された音響制御装置２００の全体構成を示す機能ブロック図である。図１に示すように、ラジオ１００は、ＡＭ／ＦＭ電波を受信するためのアンテナ１１０と、ＡＭ／ＦＭフロントエンド１２０と、受信した電波の検波をおこなう検波回路１３０と、ステレオ復調器１４０と、音響制御装置２００と、ミュート設定スイッチ１８０と、ミュート回路部１５０と、出力部１６０と、スピーカ１７０とを備えて構成されている。
【００３７】
ミュート設定スイッチ１８０は、ラジオ１００の操作パネルなどに設けられており、ユーザが手動操作（ＯＮ操作）により、このラジオ１００の音量をＯＦＦする時に使用するスイッチである。このミュート設定スイッチ１８０は、手動操作によりＡＭ／ＦＭラジオ１００の音量を調整する機能を備えている（ミュート機能により音量を「０」とする）。
【００３８】
ここで、本発明に係る実施例１の特徴は、携帯電話の発着信時には、この携帯電話の周囲に存在する音響機器に対して、携帯電話の電波の影響によりノイズが発生することに着目し、このノイズの発生時にミュート機能を作動させる音響制御装置２００を音響機器（例えば、ラジオ）の内部に構築したことにある。
【００３９】
すなわち、本実施例１に係る音響制御装置の主な特徴は、携帯電話による電波の送受信時（発着信時）に車載用音響機器（ラジオ１００）の音量をＯＦＦする制御をおこなうこといあり、このため、図１に示すように、音響制御装置２００は、携帯電話による電波の発着信時にノイズを検出するとともに、このノイズを検出した際に、ミュート機能を作動させる音響制御部３００を備えていることにある。
【００４０】
具体的に説明すると、携帯電話による電波の送受信時に、ノイズ検出部３４０によりノイズを検出し、このノイズの検出時に、ミュート回路制御部３７０によりラジオ１００のミュート回路部１５０を作動させ、これにより、音響機器の音量をＯＦＦ（音量を「０」）することに特徴がある。
【００４１】
ここで、上述したように、音響制御装置２００の主な機能は、携帯電話による電波の送受信時に、ノイズを検出することにより、自動的にミュート機能を作動させて、音響機器の音量を「０」にすることに特徴があるが、「ミュート機能」ではなく、音響機器の音量を所定の音量レベルまで低下させる「ＡＴＴ機能」を作動させる構成としてもよい。
【００４２】
また、本発明に係る音響制御装置２００では、さらに、ノイズ検出部３４０により検出されたノイズのレベル値（ノイズレベルの変動／低下）を判定するノイズレベル判定部３６０（図４）を備えており、このノイズレベル判定部３６０によりノイズレベルの低下が判定された際には、ミュート機能の作動を停止（ＯＦＦ）するようにしている。すなわち、ノイズレベル判定部３６０によるノイズレベルの判定によって、携帯電話での通話が終了したことを判定するとともに、これにより、自動的にミュート機能の作動を停止（ＯＦＦ）させることができるようにしている。
【００４３】
また、本発明に係る音響制御装置では、さらに、ユーザが所有する携帯電話の発着信に基づく特定のノイズパターンを登録する特定ノイズパターン登録部３２０（図１）を備えるとともに、この登録したノイズパターンを記憶するノイズパターン記憶部３１５を備えるようにしている。また、ノイズパターン判定部３５０により、ノイズ検出部３４０により検出されたノイズ波形（周波数）と、特定ノイズパターン登録部３２０に記憶されたノイズパターンとを比較する機能を備えるこようにしているので、ノイズ検出部３４０により検出されたノイズがユーザが所有する特定の携帯電話による発着信に基づくノイズであるかを、精度良く正確に判定できるとともに、ユーザが所有する特定の携帯電話によるノイズを対象として、音響機器に対してミュート機能を作動させることができるようにしている。
【００４４】
（音響制御装置２００の構成および機能の詳細）
以下、図１のラジオ１００および音響制御装置２００の全体機能ブロック図を参照して、音響制御装置２００の構成および機能の詳細を説明する。
【００４５】
図１に示すように、音響制御装置２００は、音響機器（ラジオ１００）の音響を制御するための音響制御部３００を備えており、この音響制御部３００は、ノイズパターン登録部３１０と、ノイズパターン記憶部３１５と、特定ノイズパターン登録部３２０と、特定ノイズパターン検出部３３０と、ノイズ検出部３４０と、ノイズパターン判定部３５０とを備えている。
【００４６】
ノイズパターン登録部３１０は、携帯電話の発着信時に、この携帯電話から発生するノイズパターンを登録する機能を備えている。すなわち、携帯電話による発着信時の信号パターンは、携帯電話と基地局との通信伝達に基づいて、携帯電話の会社によって、相違する。このため、このノイズパターン登録部３１０は、既存の携帯電話会社全ての携帯電話によるノイズパターンを登録する機能を備えており、このノイズパターン登録部３１０により登録されたノイズパターンは、ノイズパターン記憶部３１５に記憶／格納することができる。
【００４７】
ノイズパターン記憶部３１５は、ノイズパターン登録部３１０により登録された複数種類の携帯電話の発着信時に、この携帯電話から発生する複数のノイズパターンを記憶／格納する機能を備えている。
【００４８】
特定ノイズパターン登録部３２０は、個人（ユーザ）が所有する携帯電話による発着信時のノイズパターンを登録する機能を備えている。この特定ノイズパターン登録部３２０により登録されたノイズパターンは、ノイズパターン記憶部３１５に記憶／格納することができる。
【００４９】
特定ノイズパターン検出部３３０は、特定ノイズパターン登録部３２０により登録されたユーザ個人の携帯電話によるノイズパターンを、携帯電話の発着信時に検出する機能を備えている。
【００５０】
ノイズ検出部３４０は、携帯電話が送信時に送信信号を発生した場合、或いは、外部からの受信信号を受信した場合に、ラジオから発生するノイズパターンを検出する機能を備えている。このノイズ検出部３４０には、複数の周波数帯域から特定の周波数（信号）を取得できるフィルタ（濾波器）などを採用することができる。
【００５１】
ノイズパターン判定部３５０は、ノイズ検出部３４０により検出されたノイズが携帯電話によるノイズであるかを照合し、判定する機能を備えている。具体的には、ノイズ検出部３４０により検出されたノイズパターンと、ノイズパターン記憶部３１５に記憶されているノイズパターンとを照合し、両者の一致を判定することにより、ノイズ検出部３４０により検出されたノイズが携帯電話によるノイズであるか否かの判定をおこなう機能を備えている。
【００５２】
ミュート回路制御部３７０は、ノイズパターン判定部３５０により、携帯電話のノイズが検出されと判定された場合に、ミュート回路部１５０によりミュート機能を作動させる機能を備えている。具体的には、携帯電話の発着信時の電波によるノイズに基づいて、ラジオ１００の音量を停止（ＯＦＦ）させる機能を備えている。ここで、本例では、ミュート回路制御部３７０により音量を制御することとしているが、この音量制御による音量以外にも、音質を制御するイコライザ制御などをおこなうようにしてもよい。また、本例では、携帯電話のノイズを対象とするミュート回路制御部３７０による音量制御をおこなうものとしているが、例えば、ノイズにより誤動作が発生する可能性がある機器を対象とする音量制御をおこなうものとしてもよい。この場合、ノイズ検出部３４０（図１）によるノイズの検出時には、即座に対象とする機器の作動を停止する制御をおこなうようにしてもよい。
【００５３】
（音響制御装置２００による基本制御手順）
次に、本発明の音響制御装置および音響制御方法に係る基本制御手順を説明する。図２は、本実施例１に係る音響制御方法による基本制御手順を示すフローチャートである。すなわち、本発明の音響制御方法は、大別して（１）ノイズ検出工程（ＳＡ１００）と、（２）ノイズパターン照合工程（ＳＡ２００）と、（３）ノイズパターン判定工程（ＳＡ３００）と、（４）ミュート作動制御工程（ＳＡ４００）とによる４つの処理工程により構成されている。以下、（１）〜（４）による各制御工程の詳細について説明する。
【００５４】
（１）ノイズ検出工程（ＳＡ１００）は、携帯電話による電波の送受信時（発着信時）に発生するノイズを検出する処理工程である。
【００５５】
（２）ノイズパターン照合工程（ＳＡ２００）は、ノイズ検出工程により検出されたノイズによるノイズパターンと、予めノイズパターン記憶部３１５に記憶されているノイズパターンとを照合する処理工程である。
【００５６】
（３）ノイズパターン判定工程（ＳＡ３００）は、ノイズパターン照合工程により照合された照合結果から、ノイズ検出工程により検出されたノイズパターンが携帯電話のノイズパターンであるかを判定する処理工程である。
【００５７】
（４）ミュート作動制御工程（ＳＡ４００）は、ノイズパターン検出工程により所定のノイズパターンが検出された際に、ミュート回路制御部３７０による制御に基づいて、ミュート回路部１５０によりミュート機能を作動させる処理工程である。
【００５８】
（音響制御装置２００による処理手順の詳細）
次に、図３を参照して、音響制御装置２００による処理手順について、詳細に説明する。図３は、音響制御装置２００に備えた音響制御部３００による処理手順を説明するフローチャートである。
【００５９】
すなわち、図３のフローチャートに示すように、先ず、何らかの電波によるノイズが検出されたかの判定をおこなう（ステップＳ１１０）。この電波によるノイズの判定は、ノイズ検出部３４０（図１）によりおこなう。
【００６０】
そして、このステップＳ１１０の判定によりノイズが検出されたと判定された場合には（ステップＳ１１０肯定）、次いで、ノイズ判定処理に移行する（ステップＳ１２０）。このノイズ判定処理は、ステップＳ１１０により検出されたノイズが携帯電話によるノイズであるかを判定する処理である。具体的には、ステップＳ１１０により検出されたノイズパターンと、ノイズパターン記憶部３１５に記憶されたノイズパターンとの照合処理をおこない（ステップＳ１３０）、次いで、照合されたノイズパターンについて、両者が一致するノイズパターンであるかの比較判定処理をおこなう（ステップＳ１４０）。
【００６１】
そして、次に、ステップＳ１５０の判定により、携帯電話によるノイズであるかの判定をおこない（ステップＳ１５０）、このステップＳ１５０の判定により、携帯電話のノイズであると判定された場合（ステップＳ１５０肯定）、次いで、ステップＳ１６０の処理に移行し、ミュートモード状態であるか否かの判定をおこなう（ステップＳ１６０）。すなわち、前述したように、ノイズパターン記憶部３１５には、予めノイズパターン登録部３１０により登録された携帯電話会社のノイズパターンが登録されているため、両者のノイズパターンが一致する場合、ステップＳ１１０により検出されたノイズパターンは携帯電話によるノイズであると判定することができる。
【００６２】
そして、このステップＳ１６０の判定により、ミュートモード状態ではないと判定された場合には（ステップＳ１６０否定）、ミュートモードの設定をおこなう（ステップＳ１７０）。
【００６３】
これにより、ラジオ１００の音量はミュート機能の作動により、自動的に停止（ＯＦＦ）となり、以上の処理により、ユーザによる手動操作（ミュート設定スイッチ１８０の設定）の手間を不要とするうえ、携帯電話による通話を良好とすることができる。以下、ミュート再生モードによる処理に移行するとともに、前述したステップＳ１１０による何らかの電波によるノイズが検出されたかの判定処理を繰り返しおこなうこととなる。
【００６４】
ここで、ステップＳ１１０の判定により、何ら電波によるノイズが検出されないと判定された場合には（ステップＳ１１０否定）、次いで、現在、ミュートモードであるか否かの判定をおこない（ステップＳ１８０）、このステップＳ１８０の判定により、ミュートモードと判定された場合に（ステップＳ１８０肯定）、ミュートモードを解除（ＯＦＦ）し（ステップＳ１９０）、通常の再生モードに戻り、ミュートモードでなければ（ステップＳ１８０否定）、通常の再生モードに戻る。また、ステップＳ１５０の判定により、携帯電話のノイズでないと判定された場合（ステップＳ１５０否定）、次いで、ステップＳ１８０の判定に移行し、上述した処理をおこなう。
【００６５】
上述してきたように、本実施例１で示した音響制御装置および音響制御方法では、携帯電話の発着信時において、電波によるノイズを検出するとともに、このノイズを検出した際に、ミュート回路制御部３７０によりミュート回路部１５０を作動させ、自動的に音響機器（ラジオ１００）の音量をＯＦＦするようにしているので、携帯電話による受信を容易且つ的確に認識できるうえ、適正なミュート制御をおこなうことができる。また、手動によりミュート機能を作動させる手間が不要となるうえ、チューナやアンプなどの設備投資による部品コストが嵩むことのない音響制御装置とすることができる。
【実施例２】
【００６６】
次に、本発明の音響制御装置および音響制御方法に係る実施例２の詳細について説明する。図４は、実施例２に係るラジオ１００ａおよび音響制御装置２００ａの概略構成を示す全体機能ブロック図である。また、図５は、本実施例２による音響制御装置２００ａの音響制御方法による処理手順を示すフローチャートである。
【００６７】
ここで、本実施例２の特徴は、ノイズレベル判定部３６０により、ノイズ検出部３４０により検出されたノイズによるノイズのレベル値を判定し、この判定によりノイズレベルの低下があると判定された際には、ミュート回路制御部３７０ａによるミュート機能の作動を停止することにある。すなわち、ノイズ検出部３４０により検出されたノイズによるノイズレベル値が低下した際には、無線通信機（携帯電話）での通話が終了したことを判定し、これによって、自動的にミュート機能の作動を停止（ＯＦＦ）させ、通常の音量レベルに復帰させることにある。さらに、ユーザが手動によりミュート機能を設定した場合は（ミュート設定スイッチ１８０）、ミュート回路制御部３７０ａによるミュート機能の停止制御はおこなわないことを特徴としている。このため、図４に示すように、実施例２による音響制御装置２００ａの構成は、前述した実施例１による音響制御装置２００の構成にノイズレベル判定部３６０と、ミュート操作検出部３７５を追加する構成としている。
【００６８】
ノイズレベル判定部３６０は、ノイズ検出部３４０により検出されたノイズの変動（ノイズのレベル低下）を判定する機能を備えている。具体的には、携帯電話の発着信時にラジオから発生するノイズが低下したことを判定する機能を備えている。すなわち、このノイズレベル判定部３６０により、ノイズの低下が判定された場合には、携帯電話による通話が終了したと判定することができる。
【００６９】
ミュート操作検出部３７５は、ユーザが手動によりミュート設定スイッチ１８０を操作して、ミュート機能を設定したことを検出する機能を備えている。
【００７０】
（音響制御装置２００ａによる処理手順の詳細）
以下、図５を参照して、本実施例２の音響制御装置２００ａにおけるミュート機能処理手順を具体的に説明する。ここで、この図５に示すフローチャートにおいて、前述した実施例１のフローチャートと相違する点は、ノイズレベルの判定および手動ミュートモードの設定有無にあるため、本フローチャートでは、主に、本実施例２の特徴部分であるノイズレベルの判定および手動ミュートモードの設定処理に関するステップＳ１７１〜ステップＳ１７３およびステップＳ１８５による処理理手順について説明する。
【００７１】
すなわち、図５のフローチャートに示すように、ミュートモードの設定をおこなった後（ステップＳ１７０）、次いで、ノイズレベルが低下しているかの判定をおこない（ステップＳ１７１）、このステップＳ１７１の判定により、ノイズレベルが低下していると判定された場合には（ステップＳ１７１肯定）、次いで、ノイズレベルが所定値まで低下したかの判定をおこなう（ステップＳ１７２）。以下、このステップＳ１７２の判定により、ノイズレベルが所定値まで低下したと判定された場合には（ステップＳ１７２肯定）、ステップＳ１７０により設定したミュートモードの設定を解除（ＯＦＦ）とする（ステップＳ１７３）。具体的には、ノイズレベル判定部３６０により、ノイズ検出部３４０により検出されるノイズのレベル値を判定し、この判定によりノイズレベルの低下が判定された際には、ミュート回路制御部３７０ａによるミュート機能の作動を停止するので、携帯電話での通話が終了したことを判定し、これによって、自動的にミュート機能の作動を停止（ＯＦＦ）することができる。また、ステップＳ１７１およびステップＳ１７２による判定結果が否定の場合（ステップＳ１７１、１７２否定）、ミュート再生モードにする。
【００７２】
また、同図のフローチャートに示すように、現在、ミュートモードであるか否かの判定をおこない（ステップＳ１８０）、このステップＳ１８０の判定により、ミュートモードと判定された場合に（ステップＳ１８０肯定）、次いで、手動によるミュートモードの設定がおこなわれているかの判定をおこない（ステップＳ１８５）、このステップＳ１８５の判定により、手動ミュートモードであると判定された場合（ステップＳ１８５肯定）、ミュートモードを停止することはなく、そのまま、ミュート再生モードを保持するものとなる。すなわち、本例ではラジオ１００ａに備えたミュート設定スイッチ１８０が手動操作により設定（ＯＮ）されている場合には、携帯電話でのノイズの検出時（携帯電話の着信）或いは、携帯電話での通話が終了したことが判定された際でも、そのまま継続して、ミュート機能を保持（音量レベルを上げない）することができる。
【００７３】
以上説明したように、本実施例２に係る音響制御装置および音響制御方法では、ノイズレベル判定部３６０により、ノイズ検出部３４０により検出されるノイズのレベル値を判定し、この判定によりノイズレベルの低下が判定された際には、ミュート回路制御部３７０ａによるミュート機能の作動を停止するので、ノイズレベル判定部３６０によりノイズレベルの低下を判定するとともに、無線通信機（携帯電話）での通話が終了したことを判定し、これによって、自動的にミュート機能の作動を停止（ＯＦＦ）することができる。
【００７４】
（他の実施例）
さて、これまで本発明の実施例について説明したが、本発明は上述した実施例１、２以外にも、上記特許請求の範囲に記載した技術的思想の範囲内において、種々の異なる実施例にて実施することもできる。以下では、本発明に関する種々の変形例を順に説明する。
【００７５】
すなわち、上述した実施例１、２での場合、携帯電話による電波の発着信時に発生するノイズに基づいて、ミュート回路制御部３７０、３７０ａによりミュート機能を作動させているが、通常の携帯電話による着信ではなく、携帯電話のメール受信時には、通話などの支障がないため、ミュート機能は作動させない制御をおこなうようにしてもよい。ここで、通常の携帯電話による着信時に発生するノイズの周波数領域に比べて、メールによる着信時に発生するノイズの周波数帯域は短いため、この周波数領域の幅で、通常の着信とメール着信を区別し判定することができる。
【００７６】
また、本実施例１、２の場合、携帯電話による着信を認識させるために、ミュート機能を作動させ音響機器による音量を制御（音量を「０」或いは、低下）しているが、車内に据置されたナビゲーションシステムなどを利用し、モニタ（表示）に着信があった旨を知らせるガイダンス（例えば、「着信がありました」）を表示したり、このガイダンスを音声により出力したり、バイブレーションによる振動などにより報知するようにしてもよい。この場合、車内にいる乗員に対して、携帯電話による着信をより効果的に報知することができる。
【００７７】
また、本実施例１、２の場合、無線通信機（携帯電話）による電波の送受信時（発着信時）にに発生するノイズに基づいて、ミュート機能を作動させているため、チューナーを備えている音響機器を対象としているが、ＣＤプレーヤやＤＶＤプレーヤなどによる音楽や映像の再生時においても、適用することができる。また、オーディオ一体型のカーナビ、テレビ、ホームオーディオなどのＡＶ機器を、本発明の音響制御装置の対象とすることができる。
【００７８】
また、本実施例１、２では、音響制御装置２００、２００ａに携帯電話の送受信時に発生する電波によるノイズを増幅する増幅器を備えるようにしてもよい。この場合、電波が微弱電波であった場合や、ノイズの受信に何らかの障害がある場合でも、この微弱電波を増幅することにより、ミュート機能を作動させるためのノイズパターンを検出することができる。
【００７９】
また、上述した実施例１、２では、汎用の無線通信機である携帯電話による音響制御装置について説明しているが、本発明が適用される無線通信機は、携帯電話ではなく、例えば、自動車（車両）の車内に搭載した自動車電話などにも適用することができる。そして、自動車電話であっても、自動車電話によるノイズパターンを検出した場合に、ミュート機能を作動させることができるため、従来技術の問題点である自動車電話と無線通信機とを接続する接続工事などを不要とすることができる。
【００８０】
また、上述した実施例１、２では、携帯電話のノイズを対象とするミュート回路制御部３７０、３７０ａによる音量制御をおこなうものとしているが、携帯電話以外にも、ノイズにより誤動作が発生する可能性がある機器を対象として、本発明を適用することができる。
【００８１】
また、上述した実施例１、２では、音響機器（ラジオ１００）のアンテナ１１０により、携帯電話による電波を取得することとしているが、この音響制御装置２００、２００ａに、音声認識用のマイクを備える構成としてもよい、この場合、マイクによって、携帯電話による電波（ノイズパターン）を直接、取得できるため、このマイクにより取得したノイズに基づいて、適切に且つ、確実にミュート機能を作動させることができる。
【産業上の利用可能性】
【００８２】
以上のように、本発明は、無線通信機（携帯電話）による電波の送受信時に、ミュート機能を自動的に作動させ、音響機器の音量を停止（ＯＦＦ）させることができる音響制御装置に適している。
【図面の簡単な説明】
【００８３】
【図１】本発明の実施例１に係るラジオおよび音響制御装置の概略構成を示す全体機能ブロック図である。
【図２】音響制御装置の基本制御手順を示すフローチャートである。
【図３】音響制御装置による全体処理手順を示すフローチャートである
【図４】本発明の実施例２に係るラジオおよび音響制御装置の概略構成を示す全体機能ブロック図である。
【図５】本発明の実施例２に係る音響制御装置による全体処理手順を示すフローチャートである
【符号の説明】
【００８４】
１００、１００ａ  ラジオ
１１０  アンテナ
１２０  ＡＭ／ＦＭフロントエンド部
１３０  検波回路
１４０  ステレオ復調器
１５０  ミート回路部
１６０  ＩＣ回路部  出力部
１７０  スピーカ
１８０  ミュート設定スイッチ
２００、２００ａ  音響制御装置
３００、３００ａ  音響制御部
３１０  ノイズパターン登録部
３１５  ノイズ記憶部
３２０  特定ノイズパターン登録部
３３０  特定ノイズパターン検出部
３４０  ノイズパターン検出部
３５０  ノイズパターン判定部
３６０  ノイズレベル判定部
３７０、３７０ａ  ミュート回路制御部
３７５  ミュート操作検出部
【図１】
2006186587.tif 000003
【図２】
2006186587.tif 000004
【図３】
2006186587.tif 000005
【図４】
2006186587.tif 000006
【図５】
2006186587.tif 000007